(57)【要約】【課題】簡単な構成で筐体の姿勢を速やかに判定でき、その姿勢に応じて画像の表示態様を変えることができる表示端末装置及び表示端末装置の表示制御方法を提供する。【解決手段】表示端末装置１において、第１光センサ２１は、正面５の開口１６から正面５に対して直交して入射する光を入光路１７を介して受光する。第２光センサ２２は、正面５の開口１６から正面５に対して斜めに入射する光を入光路１８を介して受光する。第１光センサ２１及び第２光センサ２２における受光強度を、人工光と自然光とに分けてそれぞれで比較する。これにより、周囲の照明状況に応じて筐体２の姿勢を判定できる。判定された姿勢に応じて、ディスプレイ１５における画像の表示態様を制御する。【選択図】図１
2011164881.tif 000002
【特許請求の範囲】
【請求項１】
筐体の一面に画像を表示する表示部を備えた表示端末装置であって、
前記筐体に設けられ、複数の異なる角度から入射する光である入射光をそれぞれ検知する複数の光センサと、
当該複数の光センサによって検知された前記入射光の強度を前記入射光の属性で検出する入射光強度検出手段と、
当該入射光強度検出手段により検出された前記入射光の強度を、前記入射光の属性で比較する入射光強度比較手段と、
当該入射光強度比較手段による比較結果に基づき、前記筐体の姿勢を判定する姿勢判定手段と、
当該姿勢判定手段によって判定された姿勢に応じて、前記表示部における前記画像の表示態様を制御する表示態様制御手段と
を備えたことを特徴とする表示端末装置。
【請求項２】
前記入射光の属性とは、前記光センサが受光することによって前記光センサにより検出される直流及び交流の各成分であって、
前記入光強度検出手段は、前記入射光の前記直流及び交流の各成分のうち少なくとも何れかを検出することを特徴とする請求項１に記載の表示端末装置。
【請求項３】
前記光センサは、
前記一面に向けて入射する第１入射光を検知する第１光センサと、
前記第１入射光とは異なる角度で前記筐体に向けて入射する第２入射光を検知する第２光センサと
を備え、
前記一面を上方に向けた状態を前記筐体の第１姿勢とし、前記一面を水平面に対して立たせた状態を前記筐体の第２姿勢とし、
前記入射光強度検出手段は、前記第１光センサによって検知された前記第１入射光の交流成分と、前記第２光センサによって検知された前記第２入射光の交流成分とをそれぞれ検出し、
前記入射光強度比較手段は、
前記入射光強度検出手段によって検出された前記第１入射光の交流成分の大きさと、第２入射光の交流成分の大きさとを比較する第１入射光強度比較手段を備え、
当該第１入射光強度比較手段による比較結果において、前記第１入射光の交流成分の大きさよりも、前記第２入射光の交流成分の大きさの方が大きかった場合、前記姿勢判定手段は、前記筐体は第２姿勢であると判定することを特徴とする請求項２に記載の表示端末装置。
【請求項４】
前記第入射光強度検出手段は、前記第１光センサによって検知された前記第１入射光の直流成分及び交流成分と、前記第２光センサによって検知された前記第２入射光の直流成分及び交流成分とをそれぞれ検出し、
前記入射光強度比較手段は、
前記入射光強度検出手段によって検出された前記第１入射光の直流成分の大きさと、第２入射光の直流成分の大きさとの少なくとも一つが第１閾値以上であるか否かを判断する第１閾値判断手段と、
当該第１閾値判断手段によって少なくとも一つが前記第１閾値以上であると判断された場合に、前記入射光強度検出手段によって検出された前記第１入射光の直流成分の大きさと、前記第２入射光の直流成分の大きさとを比較する第２入射光強度比較手段と
を備え、
当該第２入射光強度比較手段による比較結果において、前記第２入射光の直流成分の大きさよりも、前記第１入射光の直流成分の大きさの方が大きかった場合、前記姿勢判定手段は、前記筐体は第２姿勢であると判定することを特徴とする請求項３に記載の表示端末装置。
【請求項５】
前記入射光強度比較手段は、
前記入射光強度検出手段によって検出された前記第１光情報の交流成分の大きさと、第２入射光の交流成分の大きさとが何れも第２閾値以下か否かを判断する第２閾値判断手段を備え、
前記第１閾値判断手段によって、前記第１入射光の直流成分の大きさと、前記第２入射光の直流成分の大きさとが何れも前記第１閾値未満であると判断され、かつ前記第２閾値判断手段によって、前記第１入射光の交流成分の大きさと、第２入射光の交流成分の大きさとが何れも前記第２閾値以下であると判断された場合、前記表示部における前記画像の表示を停止する表示停止手段を備えたことを特徴とする請求項４に記載の表示端末装置。
【請求項６】
前記筐体の表面に設けられた開口と、
当該開口から前記複数の光センサに対してそれぞれ延設され、前記開口に対して互いに異なる角度でそれぞれ入光する光を、前記角度に対応する前記光センサにそれぞれ導く複数の入光路と
を備えたことを特徴とする請求項１乃至５の何れかに記載の表示端末装置。
【請求項７】
前記筐体は、正面、上面、下面、右側面、左側面、背面を有し、
前記一面は、前記筐体の前記正面であって、
前記下面側を机上に載置した状態を前記筐体の第３姿勢とし、前記右側面側又は前記左側面側を机上に載置した状態を前記筐体の第４姿勢とした場合に、
前記光センサは、
上方から入射する第３入射光を検知する第３光センサと、
前記右側面又は前記左側面に対して入射する第４入射光を検知する第４光センサと
を備え、
前記入射光強度検出手段は、前記第３光センサによって検知された前記第３入射光の交流成分と、前記第４光センサによって検知された前記第４入射光の交流成分とをそれぞれ検出し、
前記入射光強度比較手段は、
前記入射光強度検出手段によって検出された前記第３入射光の交流成分の大きさと、第４入射光の交流成分の大きさとを比較する第３入射光強度比較手段を備え、
当該第３入射光強度比較手段による比較結果において、前記第４入射光の交流成分の大きさよりも、前記第３入射光の交流成分の大きさの方が大きかった場合、前記姿勢判定手段は、前記筐体は第３姿勢であると判定することを特徴とする請求項２に記載の表示端末装置。
【請求項８】
前記入射光強度検出手段は、前記第３光センサによって検知された前記第３入射光の直流成分及び交流成分と、前記第４光センサによって検知された前記第４入射光の直流成分及び交流成分とをそれぞれ検出し、
前記入射光強度比較手段は、
前記入射光強度検出手段によって検出された前記第３入射光の直流成分の大きさと、前記第４入射光の直流成分の大きさとの少なくとも一つが第３閾値以上であるか否かを判断する第３閾値判断手段と、
当該第３閾値判断手段によって少なくとも一つが前記第３閾値以上であると判断された場合に、前記入射光強度検出手段によって検出された前記第３入射光の直流成分の大きさと、前記第４入射光の直流成分の大きさとを比較する第４入射光強度比較手段と
を備え、
当該第４入射光強度比較手段による比較結果において、前記第３入射光の直流成分の大きさよりも、前記第４入射光の直流成分の大きさの方が大きかった場合、前記姿勢判定手段は、前記筐体は第３姿勢であると判定することを特徴とする請求項７に記載の表示端末装置。
【請求項９】
前記入射光強度比較手段は、
前記入射光強度検出手段によって検出された前記第３光情報の交流成分の大きさと、第４入射光の交流成分の大きさとが何れも第４閾値以下か否かを判断する第４閾値判断手段を備え、
前記第３閾値判断手段によって、前記第３入射光の直流成分の大きさと、前記第４入射光の直流成分の大きさとが何れも前記第３閾値未満であると判断され、かつ前記第４閾値判断手段によって、前記第３入射光の交流成分の大きさと、第４入射光の交流成分の大きさとが何れも前記第４閾値以下であると判断された場合、前記表示部における前記画像の表示を停止する表示停止手段を備えたことを特徴とする請求項８に記載の表示端末装置。
【請求項１０】
前記表示態様制御手段は、
前記姿勢判定手段によって判定された姿勢に対応する画面を表示させる表示用アプリを起動させることを特徴とする請求項１乃至９の何れかに記載の表示端末装置。
【請求項１１】
筐体の一面に画像を表示する表示部を備えた表示端末装置の表示制御方法であって、
前記筐体に設けられ、複数の異なる角度からの入射する光である入射光をそれぞれ検知する複数の光センサによって検知された前記入射光の強度を前記入射光の属性で検出する入射光強度検出手段により検知された前記入射光の強度を、前記入射光の属性で比較する入射光強度比較ステップと、
当該入射光強度比較ステップにおける比較結果に基づき、前記筐体の姿勢を判定する姿勢判定ステップと、
当該姿勢判定ステップにおいて判定された姿勢に応じて、前記表示部における前記画像の表示態様を制御する表示態様制御ステップと
を備えたことを特徴とする表示端末装置の表示制御方法。
【発明の詳細な説明】
【技術分野】
【０００１】
本発明は、表示端末装置及び表示端末装置の表示制御方法に関する。
【背景技術】
【０００２】
従来、デジタルカメラ等で撮影した画像を表示できるデジタルフォトフレームが利用されている。デジタルフォトフレームは、筐体の正面に画像を表示する表示部を備えている。表示部には画像が表示される他、画像の編集を行う編集画面や、表示条件の設定を行う設定画面等が表示される。表示部に画像を表示する場合は、表示部が周囲から見やすくなるように、筐体を立てかけて使用する。これに対し、編集画面や設定画面を表示部に表示させ、画像の編集等を行う場合は、操作し易いように、筐体を水平に寝かせて使用する。つまり、ユーザは目的に応じて筐体の姿勢を変えて使用する。このような性質を元に、筐体の姿勢を変えることによって、その姿勢に応じた画像を表示させるようなものが求められていた。そこで、筐体の姿勢を判定できる技術として、例えば、複数の受光素子により床面からの反射光を受光し、複数の受光出力を計測して姿勢角を検出できる姿勢角検出装置が知られている（例えば、特許文献１参照）。
【先行技術文献】
【特許文献】
【０００３】
【特許文献１】特開２００８−２９８７４２号公報
【発明の概要】
【発明が解決しようとする課題】
【０００４】
しかしながら、特許文献１に記載の姿勢角検出装置では、光源や床面上の複数の点までの距離を演算したり、理論値と比較する等の処理が複雑であり、姿勢判定に時間がかかるという問題点があった。
【０００５】
本発明は、上記課題を解決するためになされたものであり、簡単な構成で筐体の姿勢を速やかに判定でき、その姿勢に応じて画像の表示態様を変えることができる表示端末装置及び表示端末装置の表示制御方法を提供することを目的とする。
【課題を解決するための手段】
【０００６】
本発明の第１実施態様に係る表示端末装置は、筐体の一面に画像を表示する表示部を備えた表示端末装置であって、前記筐体に設けられ、複数の異なる角度から入射する光である入射光をそれぞれ検知する複数の光センサと、当該複数の光センサによって検知された前記入射光の強度を前記入射光の属性で検出する入射光強度検出手段と、当該入射光強度検出手段により検出された前記入射光の強度を、前記入射光の属性で比較する入射光強度比較手段と、当該入射光強度比較手段による比較結果に基づき、前記筐体の姿勢を判定する姿勢判定手段と、当該姿勢判定手段によって判定された姿勢に応じて、前記表示部における前記画像の表示態様を制御する表示態様制御手段とを備えている。
【０００７】
第１本実施態様では、筐体の一面に設けられた表示部に画像が表示される。筐体には複数の光センサが設けられ、これら光センサは複数の異なる角度から入射する光である入射光をそれぞれ検知する。そして、入射光強度検出手段は、複数の光センサによって検知された入射光の強度を、入射光の属性で検出する。次いで、入射光強度比較手段が、入射光強度検出手段により検出された入射光の強度を、入射光の属性で比較する。さらに、姿勢判定手段が、入射光強度比較手段による比較結果に基づき、筐体の姿勢を判定する。そして、表示態様制御手段が、姿勢判定手段によって判定された姿勢に応じて、表示部における画像の表示態様を制御する。つまり、複数の光センサによって受光された入射光の強度を比較するので、簡単な構成で筐体の姿勢を判定できる。さらに、入射光の強度を入射光の属性で比較するので、入射光の属性で区別できる条件を姿勢判定に加味できる。
【０００８】
また、第１実施態様では、前記入射光の属性とは、前記光センサが受光することによって前記光センサにより検出される直流及び交流の各成分であって、前記入光強度検出手段は、前記入射光の前記直流及び交流の各成分のうち少なくとも何れかを検出するようにしてもよい。入射光の直流成分は、自然光に起因する成分であり、入射光の交流成分は、インバータ点灯を含む交流電源での点灯に起因する成分である。従って、入射光の直流成分の強度と、交流成分の強度との少なくとも何れかを検出することで、入射光強度比較手段は、筐体に入射する光の属性に応じて比較できる。例えば、自然光は部屋の窓から室内に入射し、交流電源での点灯は真上から照射される。これらの性質を利用することで、室内の照明条件に応じて筐体の姿勢をより詳細に判定できる。
【０００９】
また、第１実施態様では、前記光センサは、前記一面に向けて入射する第１入射光を検知する第１光センサと、前記第１入射光とは異なる角度で前記筐体に向けて入射する第２入射光を検知する第２光センサとを備え、前記一面を上方に向けた状態を前記筐体の第１姿勢とし、前記一面を水平面に対して立たせた状態を前記筐体の第２姿勢とし、前記入射光強度検出手段は、前記第１光センサによって検知された前記第１入射光の交流成分と、前記第２光センサによって検知された前記第２入射光の交流成分とをそれぞれ検出し、前記入射光強度比較手段は、前記入射光強度検出手段によって検出された前記第１入射光の交流成分の大きさと、第２入射光の交流成分の大きさとを比較する第１入射光強度比較手段を備え、当該第１入射光強度比較手段による比較結果において、前記第１入射光の交流成分の大きさよりも、前記第２入射光の交流成分の大きさの方が大きかった場合、前記姿勢判定手段は、前記筐体は第２姿勢であると判定してもよい。つまり、交流成分の強度のみを比較することによって、真上から入光する人工光に基づき、筐体の姿勢を判定する。これにより、筐体が第１姿勢か第２姿勢かを確実に判定できる。
【００１０】
また、第１実施態様では、前記第入射光強度検出手段は、前記第１光センサによって検知された前記第１入射光の直流成分及び交流成分と、前記第２光センサによって検知された前記第２入射光の直流成分及び交流成分とをそれぞれ検出し、前記入射光強度比較手段は、前記入射光強度検出手段によって検出された前記第１入射光の直流成分の大きさと、第２入射光の直流成分の大きさとの少なくとも一つが第１閾値以上であるか否かを判断する第１閾値判断手段と、当該第１閾値判断手段によって少なくとも一つが前記第１閾値以上であると判断された場合に、前記入射光強度検出手段によって検出された前記第１入射光の直流成分の大きさと、前記第２入射光の直流成分の大きさとを比較する第２入射光強度比較手段とを備え、当該第２入射光強度比較手段による比較結果において、前記第２入射光の直流成分の大きさよりも、前記第１入射光の直流成分の大きさの方が大きかった場合、前記姿勢判定手段は、前記筐体は第２姿勢であると判定してもよい。つまり、直流成分の強度のみを比較することによって、窓から横方向に入光する自然光に基づき、筐体の姿勢を判定する。これにより、室内において、人工光が消されている状況下で、筐体が第１姿勢か第２姿勢かを判定できる。また、人工光が照射されている状況下でも、筐体が第１姿勢か第２姿勢かを判定できる。
【００１１】
また、第１実施態様では、前記入射光強度比較手段は、前記入射光強度検出手段によって検出された前記第１光情報の交流成分の大きさと、第２入射光の交流成分の大きさとが何れも第２閾値以下か否かを判断する第２閾値判断手段を備え、前記第１閾値判断手段によって、前記第１入射光の直流成分の大きさと、前記第２入射光の直流成分の大きさとが何れも前記第１閾値未満であると判断され、かつ前記第２閾値判断手段によって、前記第１入射光の交流成分の大きさと、第２入射光の交流成分の大きさとが何れも前記第２閾値以下であると判断された場合、前記表示部における前記画像の表示を停止する表示停止手段を備えてもよい。第１入射光の直流成分の大きさと、第２入射光の直流成分の大きさとが何れも第１閾値未満であり、かつ第１入射光の交流成分の大きさと、第２入射光の交流成分の大きさとが何れも第２閾値以下である場合、室内に入射する自然光が弱い上に、交流電源での点灯は消されている。この場合、ユーザが表示部の画像を鑑賞している可能性は低いので画像の表示を停止する。これにより、表示部の余分な電力消費を節約できる。
【００１２】
また、第１実施態様では、前記筐体の表面に設けられた開口と、当該開口から前記複数の光センサに対してそれぞれ延設され、前記開口に対して互いに異なる角度でそれぞれ入光する光を、前記角度に対応する前記光センサにそれぞれ導く複数の入光路とを備えていてもよい。筐体の表面には１つの開口しかないので、筐体の表面の美観を損なわず、施工も簡単である。
【００１３】
また、第１実施態様では、前記筐体は、正面、上面、下面、右側面、左側面、背面を有し、前記一面は、前記筐体の前記正面であって、前記下面側を机上に載置した状態を前記筐体の第３姿勢とし、前記右側面側又は前記左側面側を机上に載置した状態を前記筐体の第４姿勢とした場合に、前記光センサは、上方から入射する第３入射光を検知する第３光センサと、前記右側面又は前記左側面に対して入射する第４入射光を検知する第４光センサとを備え、前記入射光強度検出手段は、前記第３光センサによって検知された前記第３入射光の交流成分と、前記第４光センサによって検知された前記第４入射光の交流成分とをそれぞれ検出し、前記入射光強度比較手段は、前記入射光強度検出手段によって検出された前記第３入射光の交流成分の大きさと、第４入射光の交流成分の大きさとを比較する第３入射光強度比較手段を備え、当該第３入射光強度比較手段による比較結果において、前記第４入射光の交流成分の大きさよりも、前記第３入射光の交流成分の大きさの方が大きかった場合、前記姿勢判定手段は、前記筐体は第３姿勢であると判定してもよい。つまり、第３姿勢と第４姿勢の関係は、縦置きと横置きの関係である。つまり、交流成分の強度のみを比較することによって、真上から入光する人工光に基づき、筐体の姿勢を判定する。これにより、筐体が第３姿勢か第４姿勢かを確実に判定できる。
【００１４】
また、第１実施態様では、前記入射光強度検出手段は、前記第３光センサによって検知された前記第３入射光の直流成分及び交流成分と、前記第４光センサによって検知された前記第４入射光の直流成分及び交流成分とをそれぞれ検出し、前記入射光強度比較手段は、前記入射光強度検出手段によって検出された前記第３入射光の直流成分の大きさと、前記第４入射光の直流成分の大きさとの少なくとも一つが第３閾値以上であるか否かを判断する第３閾値判断手段と、当該第３閾値判断手段によって少なくとも一つが前記第３閾値以上であると判断された場合に、前記入射光強度検出手段によって検出された前記第３入射光の直流成分の大きさと、前記第４入射光の直流成分の大きさとを比較する第４入射光強度比較手段とを備え、当該第４入射光強度比較手段による比較結果において、前記第３入射光の直流成分の大きさよりも、前記第４入射光の直流成分の大きさの方が大きかった場合、前記姿勢判定手段は、前記筐体は第３姿勢であると判定してもよい。つまり、直流成分の強度のみを比較することによって、窓から横方向に入光する自然光に基づき、筐体の姿勢を判定する。これにより、室内において、人工光が消されている状況下で、筐体が第３姿勢か第４姿勢かを判定できる。また、人工光が照射されている状況下でも、筐体が第３姿勢か第４姿勢かを判定できる。
【００１５】
また、第１実施態様では、前記入射光強度比較手段は、前記入射光強度検出手段によって検出された前記第３光情報の交流成分の大きさと、第４入射光の交流成分の大きさとが何れも第４閾値以下か否かを判断する第４閾値判断手段を備え、前記第３閾値判断手段によって、前記第３入射光の直流成分の大きさと、前記第４入射光の直流成分の大きさとが何れも前記第３閾値未満であると判断され、かつ前記第４閾値判断手段によって、前記第３入射光の交流成分の大きさと、第４入射光の交流成分の大きさとが何れも前記第４閾値以下であると判断された場合、前記表示部における前記画像の表示を停止する表示停止手段を備えてもよい。つまり、第３入射光の直流成分の大きさと、第４入射光の直流成分の大きさとが何れも第３閾値未満であり、かつ第３入射光の交流成分の大きさと、第４入射光の交流成分の大きさとが何れも第４閾値以下である場合、夜であり、かつ室内の人工光が消された状況下である。この場合、ユーザが画像を鑑賞することはないので、画像の表示を停止することで、電力消費を節約できる。
【００１６】
また、第１実施態様では、前記表示態様制御手段は、前記姿勢判定手段によって判定された姿勢に対応する画面を表示させる表示用アプリを起動させてもよい。筐体の姿勢に応じて表示用アプリを起動できるので、使用目的に応じた表示態様で画像を表示させることができる。
【００１７】
本発明の第２実施態様に係る表示端末装置の表示制御方法では、筐体の一面に画像を表示する表示部を備えた表示端末装置の表示制御方法であって、前記筐体に設けられ、複数の異なる角度からの入射する光である入射光をそれぞれ検知する複数の光センサによって検知された前記入射光の強度を前記入射光の属性で検出する入射光強度検出手段により検知された前記入射光の強度を、前記入射光の属性で比較する入射光強度比較ステップと、当該入射光強度比較ステップにおける比較結果に基づき、前記筐体の姿勢を判定する姿勢判定ステップと、当該姿勢判定ステップにおいて判定された姿勢に応じて、前記表示部における前記画像の表示態様を制御する表示態様制御ステップとを備えている。
【００１８】
第２実施態様では、まず、入射光強度比較ステップにおいて、入射光強度検出手段により検出された入射光の強度を、入射光の属性で比較する。次に、姿勢判定ステップにおいて、入射光強度比較ステップにおける比較結果に基づき、筐体の姿勢を判定する。そして、表示態様制御ステップにおいて、姿勢判定手段によって判定された姿勢に応じて、表示部における画像の表示態様を制御する。つまり、複数の光センサによって受光された入射光の強度を比較するので、簡単な構成で筐体の姿勢を判定できる。さらに、入射光の強度を入射光の属性で比較するので、入射光の属性で区別できる条件を姿勢判定に加味できる。
【図面の簡単な説明】
【００１９】
【図１】表示端末装置１の斜視図（立て掛け姿勢）である。
【図２】表示端末装置１の斜視図（寝かせ姿勢）である。
【図３】第１実施形態におけるディスプレイ１５の表示態様を示す図である。
【図４】表示端末装置１の電気的構成を示すブロック図である。
【図５】ＡＣ検出回路５０の構成を示すブロック図である。
【図６】ＤＣ検出回路６０の構成を示すブロック図である。
【図７】ＲＯＭ３５の各種記憶領域を示す概念図である。
【図８】ＲＡＭ３６の各種記憶領域を示す概念図である。
【図９】ＣＰＵ３１による表示制御処理のフローチャートである。
【図１０】図９の続きを示すフローチャートである。
【図１１】図９の続きを示すフローチャートである。
【図１２】表示端末装置１００の正面図である。
【図１３】第２実施形態におけるディスプレイ１５の表示態様を示す図である。
【図１４】第２実施形態におけるＣＰＵ３１による表示制御処理のフローチャートの一部である。
【図１５】表示端末装置２００の側面図である。
【図１６】表示端末装置３００の側面図の一部である。
【図１７】表示端末装置４００の側面図である。
【発明を実施するための形態】
【００２０】
以下、本発明の第１実施形態である表示端末装置１について、図面を参照して説明する。これらの図面は、本発明が採用しうる技術的特徴を説明するために用いられるものであり、記載されている装置の構成、各種処理のフローチャートなどは、特に特定的な記載がない限り、それのみに限定する趣旨ではなく、単なる説明例である。
【００２１】
はじめに、表示端末装置１の構造について簡単に説明する。図１，図２に示すように、表示端末装置１は、平板状の筐体２を備えている。筐体２は、机上に横置きで立て掛けた基本姿勢において、正面５、上面６、下面７、右側面８、左側面９および背面１０を備えている。正面５には、画像を表示するための横長長方形状のディスプレイ１５が設けられている。ディスプレイ１５には、タッチパネル１９（図４参照）が設けられ、ディスプレイ１５上での種々のタッチ操作が可能である。筐体２の背面１０には、表示端末装置１を机上に立て掛けるための脚部１２が設けられている。筐体２の内部には、表示端末装置１の動作を制御する制御回路３０（図４参照）が設けられている。
【００２２】
正面５において、ディスプレイ１５を取り囲む枠の左上角部には、筐体２に入射する光（入射光）を取り込むための円形状の開口１６が設けられている。開口１６には、開口１６から正面５に直交して背面１０に向けて延設された筒状の入光路１７と、開口１６から入光路１７に対して約４５°の角度で斜め下方に背面１０に向けて延設された入光路１８とが連結してそれぞれ設けられている。入光路１７の奥には第１光センサ２１が埋め込まれ、入光路１８の奥には第２光センサ２２が埋め込まれている。なお、入光路１８の入光路１７に対する角度は４５°に限らず変更可能である。第１光センサ２１、第２光センサ２２は、周知の受光素子であり、光が照射されると電流が流れるものである。第１光センサ２１、第２光センサ２２には光電流を電圧に変換する負荷抵抗（図４参照）が各々設けられている。
【００２３】
次に、筐体２の姿勢について説明する。本実施例では、筐体２の正面５を水平面に対して立たせた姿勢を「立て掛け姿勢」（図１参照）、筐体２の正面５を真上に向けた姿勢を「寝かせ姿勢」（図２参照）とする。例えば、ディスプレイ１５に画像を表示させる場合（図３（ａ）参照）、ユーザは、周囲から鑑賞し易いように、筐体２を立て掛け姿勢にする（図１参照）。一方、画像データの選択、編集又は削除等をするために、ディスプレイ１５の下部にメニューを表示させ、入力操作等をする場合（図３（ｂ）参照）、入力操作がし易いように、筐体２を寝かせ姿勢にする（図２参照）。このようにして、ユーザは目的に応じて筐体２の姿勢を変えて表示端末装置１を使用する。
【００２４】
次に、筐体２の姿勢と光の入射角度との関係について説明する。室内において、昼か夜か、室内の蛍光灯等の照明機器がオンかオフかによって、筐体２に入射する光の入射角度や属性は種々変化する。そこで、本実施例では、以下の３つのケースを想定して説明する。
【００２５】
（ケース１）：室内−夜−照明機器オン
照明機器は天井に設けられているので、照明機器の光は天井から表示端末装置１に向けて照射される。つまり、筐体２に対して照明機器の光は真上から照射される。従って、図２に示すように、筐体２を寝かせ姿勢にした場合、筐体２を構成する六面の中で、正面５に入射する光の強度が最も高くなる。次いで、その筐体２を寝かせ姿勢から立て掛け姿勢にした場合、図１に示すように、寝かせ姿勢のときと比べて正面５に入射する光の強度は低くなり、上面６に入射する光の強度が最も高くなる。
【００２６】
（ケース２）：室内−昼−照明機器オフ
昼間で室内が明るい場合、照明機器はオフされている。この場合、太陽光である自然光は、部屋の窓から入光する。つまり、筐体２に対して自然光は横方向から照射される。従って、筐体２を寝かせ姿勢にした場合、正面５に入射する光の強度に比べ、上面６、下面７、右側面８又は左側面９の何れかに入射する光の強度が高くなる。その筐体２を寝かせ姿勢から立て掛け姿勢にした場合、正面５が横方向に向けられるため、上面６、下面７、右側面８又は左側面９に入射する光の強度よりも、正面５に入射される光の強度の方が高くなる。
【００２７】
（ケース３）：室内−夜−照明機器オフ（未使用時）
室内には、照明機器の光も、太陽光も照射されないので、筐体２に入射される光の強度はかなり低くなる。
【００２８】
次に、光の入射角度と、第１，第２光センサ２１，２２との関係について説明する。図１，図２に示すように、第１光センサ２１は、正面５の開口１６から入光路１７を介して入射する光を受光する。即ち、正面５に対して直交して入射する光を受光する。一方、第２光センサ２２は、正面５の開口１６から入光路１８を介して入射する光を受光する。即ち、正面５に対して直交して入射する光に対して約４５°の角度で斜めに入射する光を受光する。このような第１光センサ２１、第２光センサ２２の受光強度は、筐体２の姿勢と、表示端末装置１を使用する時間帯と、照明機器のオンオフとによって変化する。そこで、本実施形態では、第１光センサ２１及び第２光センサ２２の受光強度を、人工光（直流光）と自然光（交流光）とに分けてそれぞれで比較することで、周囲の照明状況に応じて筐体２の姿勢を判定できる。そして、その判定された姿勢に応じて、ディスプレイ１５に表示する画像の表示態様を制御する。なお、具体的な制御方法については後述する。
【００２９】
次に、表示端末装置１の電気的構成について、図４を参照して説明する。上記したように、表示端末装置１は、筐体２内に制御回路３０を備えている。制御回路３０はＣＰＵ３１を備え、該ＣＰＵ３１には、液晶（ＬＣＤ）であるディスプレイ１５を駆動するためのＬＣＤ駆動回路３２と、ディスプレイ１５に表示させる画像データを記憶するビデオメモリ３３と、タッチパネル１９を駆動するためのパネル駆動回路３４と、各種プログラムを記憶するＲＯＭ３５と、各種データを記憶するＲＡＭ３６と、等が各々接続されている。なお、図示しないが、制御回路３０には、デジタルカメラ等の外部機器を接続するための外部端子が設けられ、デジタルカメラ等の機器に記憶された画像データ又は動画データを取り込み、ビデオメモリ３３に記憶できるようになっていてもよい。
【００３０】
さらに、制御回路３０は、第１光センサ２１より検出された電圧を増幅する増幅回路４１と、第２光センサ２２より検出された電圧を増幅する増幅回路４２と、該増幅回路４１，４２に接続され、増幅回路４１，４２の何れかにスイッチングするスイッチング回路４５（以下、ＳＷ回路４５と呼ぶ。）と、該ＳＷ回路４５に接続され、増幅された電圧から交流成分を検出するＡＣ検出回路５０、および直流成分を検出するＤＣ検出回路６０とを備えている。ＡＣ検出回路５０およびＤＣ検出回路６０はＣＰＵ３１に接続されている。
【００３１】
図５に示すように、ＡＣ検出回路５０は、ＳＷ回路４５により選択された電圧を交流成分のみをさらに増幅する増幅回路５１と、該増幅回路５１によって増幅された電圧を整流する全波整流回路５２と、該全波整流回路５２によって整流された電圧（アナログ信号）をデジタル信号に変換するＡＤ変換回路５３とを備えている。ＡＤ変換回路５３は、ＣＰＵ３１に接続されている。全波整流回路５２は周知のものであり、例えば、４個のダイオードによってブリッジが組まれた整流回路が利用可能である。一方、図６に示すように、ＤＣ検出回路６０は、ＳＷ回路４５により選択された電圧のうち直流成分のみをさらに増幅する増幅回路６１と、該増幅回路６１によって増幅された電流（アナログ信号）をデジタル信号に変換するＡＤ変換回路６２とを備えている。ＡＤ変換回路６２は、ＣＰＵ３１に接続されている。
【００３２】
ここで、自然光と人工光（照明機器の光）との成分の違いと、その検知方法とについて説明する。自然光は、太陽光であり、所定時間内では一定の強度レベルの直流光である。これに対し、照明機器で代表的な蛍光灯は１００Ｈｚ乃至１２０Ｈｚで点滅を繰り返す光であり、インバータを内蔵した照明機器の場合は、概ね２０ＫＨｚ以上の点滅光（交流光）である。このような特徴を利用して、ＡＣ検出回路５０では、図５に示すように、第１光センサ２１及び第２光センサ２２により検出された電圧のうち、交流成分のみが増幅回路５１によって増幅され、全波整流回路５２によって全波整流され、ＡＤ変換回路５３によってデジタル信号に変換される。従って、受光した光の交流成分のみが検出されてデジタル信号に変換される。一方、ＤＣ検出回路６０では、図６に示すように、第１光センサ２１及び第２光センサ２２により検出された電圧のうち、直流成分のみが増幅回路６１によって増幅され、その増幅された電流がデジタル信号に変換される。このようにして、第１光センサ２１及び第２光センサ２２において、直流成分のみの自然光の受光強度、交流成分を有する照明光の受光強度をそれぞれ検知できる。
【００３３】
次に、ＲＯＭ３５の各種記憶領域について、図７を参照して説明する。ＲＯＭ３５には、表示端末装置１のメインプログラムや、筐体２の姿勢を判定し、判定した姿勢に応じて、メニューを表示させる（図３（ｂ）参照）表示制御プログラム等を記憶するプログラム記憶エリア３５１と、ディスプレイ１５に表示された画像に、ペン型の器具（図示外）を使って文字等を直接入力できる手書きアプリケーション（以下、手書きアプリと呼ぶ。）を実行する手書き入力プログラム等を記憶する手書き入力プログラム記憶エリア３５２と、等が少なくとも設けられている。なお、第１実施形態において、手書きアプリの起動は、ディスプレイ１５に表示されたメニューを、タッチパネル１９でタッチ操作することで起動する。
【００３４】
次に、ＲＡＭ３６の各種記憶領域について、図８を参照して説明する。ＲＡＭ３６には、状態フラグを記憶する状態フラグ記憶エリア３６１と、前回の判定時の状態フラグ（以下、前回の状態フラグとも呼ぶ。）を記憶する前回の状態フラグ記憶エリア３６２と、ＡＣ検出回路５０及びＤＣ検出回路６０によって検出された各入射光の交流成分及び直流成分の各電圧値を記憶する交流・直流成分記憶エリア３６３と、等が少なくとも設けられている。状態フラグは、筐体２の姿勢に応じて記憶される。具体的には、ＣＰＵ３１によって筐体２が立て掛け姿勢であると判定された場合は状態フラグ＝「０」が記憶され、寝かせ姿勢であると判定された場合は状態フラグ＝「１」が記憶され、室内が所定の明るさ以下で照明機器がオフと判定された場合は状態フラグ＝「２」が記憶される。交流・直流成分記憶エリア３６３には、入射光から検出された交流成分及び直流成分の電圧値が記憶される。
【００３５】
次に、ＣＰＵ３１による表示制御処理について、図９乃至図１１のフローチャートを参照して説明する。本処理は、表示端末装置１の電源をオンすると、ＲＯＭ３５から表示制御プログラムが読み込まれて実行される。まず、ＳＷ回路４５において第１光センサ２１に接続が切り替わる（Ｓ１１）。
【００３６】
第１光センサ２１が受光すると、第１光センサ２１より検出された電圧が、増幅回路４１によって増幅される。増幅された電圧は、ＡＣ検出回路５０において、上記したように、交流成分のみが検出され、デジタル信号に変換されてＣＰＵ３１に入力される。
【００３７】
一方、ＤＣ検出回路６０では、上記したように、増幅された電圧から直流成分のみが検出され、デジタル信号に変換されてＣＰＵ３１に入力される。こうして、第１光センサ２１に照射された光の交流成分（以下、ＰＤ１−ＡＣと呼ぶ。）と、直流成分（以下、ＰＤ１−ＤＣと呼ぶ。）とが取得され（Ｓ１２）、ＲＡＭ３６の交流・直流成分記憶エリア３６３（図８参照）に記憶される。ＰＤ１−ＡＣ、ＤＣは何れも電圧値である。
【００３８】
次いで、ＳＷ回路４５において第２光センサ２２に接続が切り替わる（Ｓ１３）。第２光センサ２２においても、第１光センサ２１と同様の流れによって、第２光センサ２２に照射された光の交流成分（以下、ＰＤ２−ＡＣと呼ぶ。）と、直流成分（以下、ＰＤ２−ＤＣと呼ぶ。）とが取得され（Ｓ１４）、ＲＡＭ３６の交流・直流成分記憶エリア３６３（図８参照）に記憶される。ＰＤ２−ＡＣ、ＤＣは何れも電圧値である。
【００３９】
そして、ＲＡＭ５３に記憶されたＰＤ１−ＡＣまたはＰＤ２−ＡＣが、交流成分の閾値（ＡＣ閾値）よりも大きいか否かが判断される（Ｓ１５）。いずれかが閾値よりも大きいと判断された場合（Ｓ１５：ＹＥＳ）、筐体２に照明機器の光が照射されているので、上記したケース１に相当する。そこで、次に、ＰＤ１−ＡＣがＰＤ２−ＡＣよりも大きいか否かが判断される（Ｓ１６）。ＰＤ１−ＡＣがＰＤ２−ＡＣよりも大きいと判断された場合（Ｓ１６：ＹＥＳ）、人工光に対して、第１光センサ２１の受光強度が第２光センサ２２の受光強度よりも高い。上記したように、照明機器は天井から照射されるので、筐体２は寝かせ姿勢である可能性が高い。そこで、この場合は、ＲＡＭ３６の状態フラグ記憶エリア３６１（図８参照）に状態フラグ＝「１」が記憶される（Ｓ１７）。
【００４０】
一方、ＰＤ２−ＡＣがＰＤ１−ＡＣよりも大きいと判断された場合（Ｓ１６：ＮＯ）、第２光センサ２２の受光強度が第１光センサ２１の受光強度よりも高い。天井から照射される照明機器の光は、第１光センサ２１よりも第２光センサ２２の方が強く受けている。つまり、正面５に対して照明機器の光は斜めに入射しているので、筐体２は立て掛け姿勢である可能性が高い。そこで、この場合は、ＲＡＭ３６の状態フラグ記憶エリア３６１（図８参照）に状態フラグ＝「０」が記憶される（Ｓ１８）。
【００４１】
ところで、取得されたＰＤ１−ＡＣと、ＰＤ２−ＡＣとの何れもが、交流成分の閾値以下と判断された場合（Ｓ１５：ＮＯ）、照明機器はオフされている。そこで、図１０のフローチャートに進み、ＰＤ１−ＤＣ、ＰＤ２−ＤＣのいずれかがＤＣの閾値よりも大きいか否かが判断される（Ｓ２１）。いずれかがＤＣの閾値よりも大きいと判断された場合（Ｓ２１：ＹＥＳ）、筐体２に対して部屋の窓から横方向に自然光が入射しているから、上記したケース２に相当する。
【００４２】
そこで、次に、ＰＤ１−ＤＣがＰＤ２−ＤＣよりも大きいか否かが判断される（Ｓ２２）。ＰＤ１−ＤＣがＰＤ２−ＤＣよりも大きいと判断された場合（Ｓ２２：ＹＥＳ）、自然光に対して、第１光センサ２１の受光強度が第２光センサ２２の受光強度よりも高い。上記したように、自然光は横方向から照射されるので、正面５は横方向に向けられており、筐体２は立て掛け姿勢（図１参照）である可能性が高い。この場合は、ＲＡＭ３６の状態フラグ記憶エリア３６１（図８参照）に状態フラグ＝「０」が記憶される（Ｓ２３）。
【００４３】
一方、ＰＤ２−ＤＣがＰＤ１−ＤＣよりも大きいと判断された場合（Ｓ２２：ＮＯ）、自然光に対して、第２光センサ２２の受光強度が第１光センサ２１の受光強度よりも高い。つまり、横方向から入射する自然光に対して、入光路１７が向けられおらず、入光路１８に入射する自然光の割合が高いので、筐体２は寝かせ姿勢（図２参照）である可能性が高い。この場合は、ＲＡＭ３６の状態フラグ記憶エリア３６１（図８参照）に状態フラグ＝「１」が記憶される（Ｓ２４）。
【００４４】
また、ＰＤ１−ＤＣ、ＰＤ２−ＤＣの何れもＤＣの閾値以下であると判断された場合（Ｓ２１：ＮＯ）、交流成分も直流成分も何れも閾値以下であることから、室内は暗く、かつ室内の照明機器はオフされているので、上記したケース３に相当する。この場合は、ＲＡＭ３６の状態フラグ記憶エリア３６１（図８参照）に状態フラグ＝「２」が記憶される（Ｓ２５）。
【００４５】
次に、図１１のフローチャートに進み、ＲＡＭ３６の状態フラグ記憶エリア３６１に記憶された状態フラグが「０」か否か判断される（Ｓ３１）。なお、これ以降の処理は、状態フラグによって処理が異なるので、各状態フラグに対応する状況に分けて順に説明する。
【００４６】
まず、筐体２が立て掛け姿勢と判断された場合（状態フラグ＝「０」）について説明する。図１１に示すように、状態フラグが「０」である場合（Ｓ３１：ＹＥＳ）、ディスプレイ１５がオンされる（Ｓ３３）。続いて、ＲＡＭ３６の前回の状態フラグ記憶エリア３６２（図８参照）に記憶された前回の状態フラグが「０」であるか否かが判断される（Ｓ３４）。
【００４７】
ここで、前回の状態フラグが「０」でない場合（Ｓ３４：ＮＯ）、前回の状態フラグ記憶エリア３６２に「０」が記憶され、更新される（Ｓ３５）。さらに、メニューが表示されているか否かが判断される（Ｓ３６）。前回の姿勢判定で、筐体２が寝かせ姿勢であった場合、ユーザに画像編集等を行わせるために、ディスプレイ１５にはメニューが表示されているので（Ｓ３６：ＹＥＳ）、メニュー表示が終了される（Ｓ３７）。そして、メニューが表示されていない場合（Ｓ３６：ＮＯ）、立て掛け姿勢である表示端末装置１のディスプレイ１５に、ビデオメモリ３３に記憶された画像データのスライドショーが表示される（Ｓ３８）。このようにして、ユーザがディスプレイ１５に画像を表示させて鑑賞したい場合は、筐体２を立て掛け姿勢にするだけで、自動的にスライドショーが始まるので、特定の操作が要らず、取り扱いが非常に便利である。
【００４８】
その後、図９のフローのＳ１１に戻り、再び、第１光センサ２１及び第２光センサ２２の直流成分および交流成分が各々検知され、それら各成分の強度に応じて判定される姿勢に応じて、ディスプレイ１５の表示態様が制御される。なお、図１１のフローにおいて、前回の状態フラグが「０」の場合（Ｓ３４：ＹＥＳ）、前回の姿勢判定でも立て掛け姿勢と判定され、ディスプレイ１５にはスライドショーが既に表示されているので、そのまま図９のＳ１１に戻る。
【００４９】
次に、筐体２が寝かせ姿勢と判断された場合（状態フラグ＝「１」）について説明する。図１１に示すように、状態フラグが「１」である場合（Ｓ３１：ＮＯ、Ｓ４１：ＹＥＳ）、筐体２は寝かせ姿勢である。そこで、ディスプレイ１５がオンされる（Ｓ４３）。続いて、ＲＡＭ３６の前回の状態フラグ記憶エリア３６２（図８参照）に記憶された前回の状態フラグが「１」であるか否かが判断される（Ｓ４４）。
【００５０】
状態フラグ記憶エリア３６２（図８参照）に記憶された前回の状態フラグが「１」でない場合（Ｓ４４：ＮＯ）、ＲＡＭ３６の前回の状態フラグ記憶エリア３６２（図８参照）に記憶された前回の状態フラグに今回の「１」が記憶される（Ｓ４５）。そして、筐体２は寝かせ姿勢であるので、ユーザに画像の編集等を行わせるために、ディスプレイ１５にメニューが表示される（Ｓ４６）。具体的には、図３（ｂ）に示すように、ディスプレイ１５に表示されている画像の下部に、ファイルメニューを表示させる「ＦＩＬＥ」キー、編集を実行させる「ＥＤＩＴ」キー、特定した画像を表示させるための「ＶＩＥＷ」キーが表示され、その横には、年月日と時刻（例えば、「２００９／１２／１５  １５：００」）が表示される。このように、ユーザが画像データを編集等したいときは、筐体２を寝かせ姿勢にすることで、自動的にメニューが表示されるので、特定の操作が要らず扱いが便利である。その後、図９のフローのＳ１１に戻り、再び、第１光センサ２１及び第２光センサ２２の直流成分および交流成分が各々検知され、それら各成分の強度に応じて判定される姿勢に応じて、ディスプレイ１５の表示態様が制御される。なお、図１１のフローにおいて、前回の状態フラグが「１」の場合（Ｓ４４：ＹＥＳ）、前回の姿勢判定でも寝かせ姿勢と判定され、ディスプレイ１５にはメニューが既に表示されているので、そのまま図９のＳ１１に戻る。
【００５１】
次に、室内が所定の明るさ以下で照明機器がオフと判断された場合（状態フラグ＝「２」）について説明する。状態フラグが「２」である場合（Ｓ３１：ＮＯ、Ｓ４１：ＮＯ）、ＲＡＭ３６の前回の状態フラグ記憶エリア３６２（図８参照）に記憶された前回の状態フラグが「２」であるか否かが判断される（Ｓ５１）。前回の状態フラグが「２」でなかった場合（Ｓ５１：ＮＯ）、前回の状態フラグ記憶エリア３６２に、前回の状態フラグとして「２」が記憶される（Ｓ５２）。そして、太陽光、照明光ともに無い状態であるので、ユーザは表示端末装置１のディスプレイ１５を見ていない可能性が高い。そこで、ディスプレイ１５がオフされる（Ｓ５３）。これにより、ディスプレイ１５の電力消費を節約できる。その後、Ｓ１１に戻り、再び、第１光センサ２１及び第２光センサ２２の直流成分および交流成分が各々検知され、それら各成分の強度に応じて判定される姿勢に応じて、ディスプレイ１５の表示態様が制御される。なお、図１１のフローにおいて、前回の状態フラグが「２」の場合（Ｓ５１：ＹＥＳ）、前回の姿勢判定でも太陽光、照明光ともに無い状態と判定され、ディスプレイ１５は既にオフされてるので、そのまま図９のＳ１１に戻る。
【００５２】
以上説明したように、第１実施形態である表示端末装置１は、筐体２に第１光センサ２１及び第２光センサ２２を備えている。第１光センサ２１は、正面５の開口１６から入光路１７を介して入射する光を受光する。即ち、正面５に対して直交して入射する光を受光する。一方、第２光センサ２２は、正面５の開口１６から入光路１８を介して入射する光を受光する。即ち、正面５に対して直交して入射する光に対して約４５°の角度で斜めに入射する光を受光する。このような第１光センサ２１、第２光センサ２２の受光強度は、筐体２の姿勢と、表示端末装置１を使用する時間帯と、照明機器のオンオフとによって変化する。そこで、第１光センサ２１及び第２光センサ２２の受光強度を、人工光と自然光との属性に分けてそれぞれで比較することで、周囲の照明状況に応じて筐体２の姿勢を判定できる。そして、判定された姿勢に応じて、ディスプレイ１５における画像の表示態様を制御することによって、筐体２の姿勢を変えるだけで、特定の操作が自動的に可能となる使い勝手のよい表示端末装置１を提供できる。
【００５３】
次に、第２実施形態である表示端末装置１００について、図１２乃至図１４を参照して説明する。第２実施形態は、第１実施形態の変形例である。第１実施形態では、筐体２の姿勢において、「立て掛け姿勢」と「寝かせ姿勢」を判定し、その姿勢に応じて、ディスプレイ１５の表示態様を変えるように制御した。これに対し、第２実施形態の表示端末装置１００では、筐体２の「縦置き」、「横置き」に応じて、ディスプレイ１５の表示態様を変えるように制御する。なお、表示端末装置１００の電気的構成とＣＰＵによる制御方法とについては、第１実施形態と重複する部分があるので、異なる部分を中心に説明し、第１実施形態の図面を援用して説明する。
【００５４】
まず、表示端末装置１００の構造について、図１２を参照して説明する。表示端末装置１００は、平板状の筐体２を備えている。筐体２は、机上に縦置きにした状態で、正面５、上面６、下面７、右側面８、左側面９および背面（図示外）を備えている。正面５には、画像を表示するための横長の長方形状のディスプレイ１５が設けられている。ディスプレイ１５には、タッチパネル１９（図４参照）が設けられ、ディスプレイ１５上でのタッチ操作が可能である。
【００５５】
上面６の左端部近傍には、上面６に対して直交して入射する光を取り込むための円形状の開口７１が設けられている。開口７１には、開口７１から上面６に直交して下方に向けて延設された筒状の入光路７３が連結して設けられている。入光路７３の奥には、第１光センサ７７が埋め込まれている。一方、左側面９の上端部近傍には、左側面９に対して直交して入射する光を取り込むための円形状の開口７２が設けられている。開口７２には、開口７２から左側面９に直交して右測方に延設された筒状の入光路７４が連結して設けられている。入光路７４の奥には、第２光センサ７８が埋め込まれている。第１光センサ７７及び第２光センサ７８は、第１実施形態の第１光センサ２１及び第２光センサ２２と同様の周知の受光素子である。
【００５６】
次に、筐体２の姿勢について説明する。本実施例では、筐体２の下面７を机上に載置して立たせた状態を「横置き」、筐体２の右側面８を机上に載置した状態を「縦置き」とする（図１３参照）。
【００５７】
次に、筐体２の姿勢と光の入射角度との関係について説明する。上記したように、室内において、昼か夜か、室内の照明機器がオンかオフかによって、光の入射角度は変化する。そこで、第２実施形態においても、第１実施形態と同様に、上記ケース１、２、３を想定して説明する。
【００５８】
（ケース１）：室内−夜−照明機器オン
照明機器は天井に設けられているので、照明機器の光は天井から表示端末装置１に向けて照射される。つまり、筐体２に対して照明機器の光は真上から照射される。従って、筐体２を横置きにした場合、筐体２を構成する六面の中で、上面６に入射する光の強度が最も高くなる。その筐体２を右側に回転させ、右側面８が机上に接する縦置きにした場合、左側面９に入射する光の強度が最も高くなる。
【００５９】
（ケース２）：室内−昼−照明機器オフ
昼間で室内が明るい場合、照明機器はオフされている。この場合、太陽光である自然光は、部屋の窓から入光する。つまり、筐体２に対して自然光は横方向から照射される。従って、筐体２を横置きにした場合、左側面９及び右側面８に入射する光の強度が最も高くなる。その筐体２を右側に回転させ、右側面８が机上に接する縦置きにした場合、上面６又は下面７に入射する光の強度が最も高くなる。
【００６０】
（ケース３）：室内−夜−照明機器オフ（未使用時）
室内には、照明機器の光も、太陽光も照射されないので、筐体２に入射される光の強度はかなり低くなる。
【００６１】
次に、光の入射角度と、第１，第２光センサ７７，７８との関係について説明する。図１２に示すように、第１光センサ７７は、上面６の開口７１から入光路７３を介して入射する光を受光する。即ち、上面６に対して直交して入射する光を受光するものである。一方、第２光センサ７８は、左側面９の開口７２から入光路７４を介して入射する光を受光するものである。このような第１光センサ７７、第２光センサ７８の受光強度は、筐体２の姿勢と、表示端末装置１を使用する時間帯と、照明機器のオンオフとによって変化する。そこで、第２実施形態では、第１光センサ７７及び第２光センサ７８の受光強度を比較することによって、筐体２の姿勢を判定し、ディスプレイ１５に表示する画像の表示態様を制御する。
【００６２】
次に、第２実施形態で使用する状態フラグについて説明する。第２実施形態では、筐体２が横置きと判定された場合は状態フラグ＝「１」、縦置きと判定された場合は状態フラグ＝「０」、室内が所定の明るさ以下で照明機器がオフと判定された場合は状態フラグ＝「２」がＲＡＭ３６の状態フラグ記憶エリア３６１（図８参照）に記憶される。
【００６３】
次に、第２実施形態のＣＰＵ３１による表示制御処理について、図９、図１０、図１４のフローチャートを参照して説明する。なお、本処理は、第１実施形態の表示制御処理（図９〜図１１参照）と同様に行われるので、異なる部分を中心に説明する。例えば、図９のフローチャートに示すように、第１光センサ７７によって受光された入射光の交流成分（ＰＤ１−ＡＣ）が、第２光センサ７８によって受光された入射光の交流成分（ＰＤ２−ＡＣ）よりも高いと判断された場合（Ｓ１６：ＹＥＳ）、照明機器の光は天井から照射されるので、筐体２は横置きである。従って、ＲＡＭ５３の状態フラグ記憶エリア３６１には、状態フラグ＝「１」が記憶される（Ｓ１７）。一方、ＰＤ２−ＡＣが、ＰＤ１−ＡＣよりも高いと判断された場合（Ｓ１６：ＮＯ）、筐体２は縦置きである。従って、ＲＡＭ５３の状態フラグ記憶エリア３６１には、状態フラグ＝「０」が記憶される（Ｓ１８）。
【００６４】
また、ＰＤ１−ＡＣまたはＰＤ２−ＡＣのいずれかがＡＣ閾値以下と判断された場合（Ｓ１５：ＮＯ）、照明機器はオフされているので、図１０に示すように、ＰＤ１−ＤＣ、ＰＤ２−ＤＣのいずれかがＤＣの閾値よりも大きいか否かが判断される（Ｓ２１）。いずれかがＤＣの閾値よりも大きいと判断された場合（Ｓ２１：ＹＥＳ）、自然光が窓から室内に照射されているので、筐体２に対して横方向から自然光が照射される。そこで、ＰＤ１−ＤＣが、ＰＤ２−ＤＣよりも大きいか否かが判断される（Ｓ２２）。ＰＤ１−ＤＣが、ＰＤ２−ＤＣよりも大きいと判断された場合（Ｓ２２：ＹＥＳ）、筐体２は縦置きである。従って、ＲＡＭ３６の状態フラグ記憶エリア３６１には、状態フラグ＝「０」が記憶される（Ｓ２３）。一方、ＰＤ２−ＤＣが、ＰＤ１−ＤＣよりも大きいと判断された場合（Ｓ２２：ＮＯ）、筐体２は横置きである。従って、ＲＡＭ３６の状態フラグ記憶エリア３６２には、状態フラグ＝「１」が記憶される（Ｓ２４）。
【００６５】
次いで、図１４のフローチャートに示すように、第１実施形態の処理（図１１参照）と同様に、状態フラグの値によって処理がそれぞれ実行される。まず、状態フラグが「１」である場合（Ｓ６１：ＹＥＳ）、ディスプレイ１５がオンされる（Ｓ６２）。続いて、ＲＡＭ３６の前回の状態フラグ記憶エリア３６２（図８参照）に記憶された前回の状態フラグが「１」であるか否かが判断される（Ｓ６３）。
【００６６】
ここで、前回の状態フラグが「１」でない場合（Ｓ６３：ＮＯ）、前回の状態フラグ記憶エリア３６２に「１」が記憶され、更新される（Ｓ６４）。そして、図１３（ａ）に示すように、横置きのディスプレイ１５の下側の位置である第１位置にメニューが表示される（Ｓ６５）。その後、図９のＳ１１に戻り、再び、第１光センサ２１及び第２光センサ２２の直流成分および交流成分が各々検知され、それら各成分の強度に応じて判定される姿勢に応じて、ディスプレイ１５におけるメニューの表示位置が変更される。なお、前回の状態フラグが「１」の場合（Ｓ６３：ＹＥＳ）、ディスプレイ１５の第１位置にメニューが既に表示されているので、そのまま図９のＳ１１に戻る。
【００６７】
一方、状態フラグが「０」である場合（Ｓ６１：ＮＯ、Ｓ７１：ＹＥＳ）、ディスプレイ１５がオンされる（Ｓ７２）。続いて、ＲＡＭ３６の前回の状態フラグ記憶エリア３６２に記憶された前回の状態フラグが「０」であるか否かが判断される（Ｓ７３）。ここで、前回の状態フラグが「０」でない場合（Ｓ７３：ＮＯ）、前回の状態フラグ記憶エリア３６２に「０」が記憶され、更新される（Ｓ７４）。そして、図１３（ｂ）に示すように、縦置きのディスプレイ１５の下側の位置である第２位置にメニューが表示される（Ｓ７５）。その後、Ｓ１１に戻る。なお、前回の状態フラグが「０」の場合（Ｓ７３：ＹＥＳ）、ディスプレイ１５の第２位置にメニューが既に表示されているので、そのまま図９のＳ１１に戻る。
【００６８】
このように、横置き、縦置きに応じて、メニューの位置が変わり、常にディスプレイ１５の下側の見やすい位置に表示されるので、使い勝手のよい表示端末装置１００を提供できる。なお、状態フラグが「２」である場合は（Ｓ６１：ＮＯ、Ｓ７１：ＮＯ）、図１１のフローに示す第１実施形態と同じ処理であるので説明を省略する。
【００６９】
なお、以上説明において、ＡＣ検出回路５０及びＤＣ検出回路６０が本発明の「入射光検出手段」に相当する。第１実施形態における筐体２の立て掛け姿勢が本発明の「第１姿勢」に相当し、寝かせ姿勢が本発明の「第２姿勢」に相当する。第２実施形態における筐体２の横置きが本発明の「第３姿勢」に相当し、縦置きが本発明の「第４姿勢」に相当する。第１実施形態の図９〜図１１のフローにおいて、Ｓ１６，Ｓ２２の処理を実行するＣＰＵ３１が本発明の「入射光強度比較手段」に相当し、Ｓ１７，１８，Ｓ２３，Ｓ２４の処理を実行するＣＰＵ３１が本発明の「姿勢判定手段」に相当し、Ｓ３８，Ｓ４６の処理を実行するＣＰＵ３１が本発明の「表示態様制御手段」に相当する。また、Ｓ１６の処理を実行するＣＰＵ３１が本発明の「第１入射光強度比較手段」に相当し、Ｓ２１の処理を実行するＣＰＵ３１が本発明の「第１閾値判断手段」に相当し、Ｓ２２の処理を実行するＣＰＵ３１が本発明の「第２入射光強度比較手段」に相当し、Ｓ１５の処理を実行するＣＰＵ３１が本発明の「第２閾値判断手段」に相当し、ＤＣ閾値が本発明の「第１閾値」に相当し、ＡＣ閾値が本発明の「第２閾値」に相当し、Ｓ５３の処理を実行するＣＰＵ３１が本発明の「表示停止手段」に相当する。
【００７０】
また、第２実施形態の図９〜図１１、図１４のフローにおいて、Ｓ１６の処理を実行するＣＰＵ３１が本発明の「第３入射光強度比較手段」に相当し、Ｓ２１の処理を実行するＣＰＵ３１が本発明の「第３閾値判断手段」に相当し、Ｓ２２の処理を実行するＣＰＵ３１が本発明の「第４入射光強度比較手段」に相当し、Ｓ１５の処理を実行するＣＰＵ３１が本発明の「第４閾値判断手段」に相当する。
【００７１】
以上説明したように、第２実施形態である表示端末装置１００は、筐体２に第１光センサ７７及び第２光センサ７８を備えている。第１光センサ７７は、上面６の開口７１から入光路７３を介して入射する光を受光する。即ち、上面６に対して直交して入射する光を受光する。一方、第２光センサ７８は、上面６の開口７２から入光路７４を介して入射する光を受光する。即ち、左側面９に対して直交して入射する光を受光する。このような第１光センサ７７、第２光センサ７８の受光強度は、筐体２の横置き及び縦置きと、表示端末装置１００を使用する時間帯と、照明機器のオンオフとによって変化する。そこで、第１光センサ７７及び第２光センサ７８の受光強度を、人工光と自然光とに分けてそれぞれで比較することで、周囲の照明状況に応じて筐体２の横置き及び縦置きを判定できる。そして、判定された姿勢に応じて、ディスプレイ１５におけるメニューの表示を見やすい位置に変えることによって、使い勝手のよい表示端末装置１００を提供できる。
【００７２】
なお、本発明は、上記実施形態に限定されることなく、種々の変更が可能である。例えば、筐体に設ける光センサの数は２以上であればよい。また、光センサの配置についても種々変更が可能である。例えば、２つの光センサを近くに並べて配置することで、同一基板上に設けることができる。近くに並べて配置する実施例として、例えば、以下に示す３つの変形例が可能である。
【００７３】
（第１変形例）
図１５に示すように、表示端末装置２００は、筐体２２０に第１光センサ８７と第２光センサ８８とを備えている。第１光センサ８７と第２光センサ８８とは互いに寄せて配置されている。筐体２２０の前面２２５には、互いに離間する一対の開口８１，８２が設けられている。開口８１には、前面２２５に直交して背面に向けて延設された筒状の入光路８３が設けられ、入光路８３の奥に第１光センサ８７が埋め込まれている。一方、開口８２には、開口８２から入光路８３に対して約４５°の角度で斜め下方に背面に向けて延設された第２光センサ８８に向かって斜めに延設された入光路８４が設けられている。このような構成とすることで、第１光センサ８７と第２光センサ８８とを互いに寄せて配置できる。
【００７４】
（第２変形例）
図１６に示すように、表示端末装置３００は、筐体３２０に第１光センサ９７と第２光センサ９８とを備えている。第１光センサ９７と第２光センサ９８とは互いに寄せて配置されている。筐体３２０の前面３２５には、１つの開口９１が設けられている。開口９１には、前面３２５に直交して背面に向けて延設された筒状の入光路９２と、開口９１から入光路９２に対して約４５°の角度で斜め下方に背面に向けて延設され、さらに下方に折り返して背面に向かって延設された入光路９４とが連結して各々設けられている。入光路９２の奥には、第１光センサ９７が埋め込まれている。入光路９４の奥には、第２光センサ９８が埋め込まれている。
【００７５】
そして、入光路９４の折り返し部分には、入光路９４に入射した光の光路を第２光センサ９８に向けて折り曲げるプリズム１０１が設けられている。このような構成とすることで、第１光センサ９７と第２光センサ９８とを互いに寄せて配置できる。さらに、前面３２５には１つの開口９１のみであるので、前面３２５の美観を保持できる。なお、プリズム１０１の他に、例えば、光ファイバーや、導光路で光路を折り曲げてもよい。
【００７６】
（第３変形例）
図１７に示すように、表示端末装置４００は、筐体４２０に第１光センサ１１７と第２光センサ１１８とを備えている。筐体４２０の前面４２５には、１つの開口１１１が設けられている。開口１１１には、断面略三角形状の入光路１１３が連通して設けられ、入光路１１３の頂点に開口１１１が位置する。この入光路１１３の底面の両端に、第１光センサ１１７と第２光センサ１１８とが各々配置されている。つまり、入光路１１３の内側に第１光センサ１１７と第２光センサ１１８との両方を配置できるので、互いに近接して配置できる。
【００７７】
ところで、上記第１実施形態では、筐体２が寝かせ姿勢と判定した場合は、ディスプレイ１５にメニューを表示させたが、例えば、判定した姿勢に応じて特定のアプリケーションを起動させてもよい。例えば、図７に示すＲＯＭ３５には、手書き入力プログラムが記憶されている。上記したように、手書き入力プログラムは、手書きアプリを実行するためのプログラムである。手書きアプリの起動は、ディスプレイ１５に表示されたメニューをタッチパネル１９でタッチ操作することで起動するものであったが、筐体２が寝かせ姿勢と判定された場合に、手書き入力プログラムを読み込み、手書きアプリの起動させるようにしてもよい。つまり、図１１に示すフローでいえば、Ｓ４１で状態フラグが１であった場合（Ｓ４１：ＹＥＳ）に、手書きアプリを起動させるようにすればよい。
【００７８】
また、上記実施形態では、ケース２で昼間の照明機器はオフしている状況を想定したが、昼間に照明機器がオンしている状況でも、第１光センサ２１及び第２光センサ２２が受光した直流成分を比較することによって、太陽光に基づいて筐体２の姿勢を判定することもできる。
【００７９】
また、上記第１実施形態及び第２実施形態において、メニュー表示位置はディスプレイ１５の下側に限らず、画面デザインにより適宜決定されるものである。
【００８０】
また、上記第１実施形態及び第２実施形態において、第１光センサ、第２光センサの直流・交流成分の両方を検出してそれらの比較を行ったが、何れか一方のみを検出して比較し、姿勢判定を行うようにしてもよい。
【００８１】
また、上記実施形態では、入射光の属性として、直流・交流成分を一例として説明したが、波長、変調周波数等を検出し、姿勢判定に用いてもよい。
【符号の説明】
【００８２】
１  表示端末装置
２  筐体
５  正面
６  上面
７  下面
８  右側面
９  左側面
１０  背面
１５  ディスプレイ
１６  開口
１７  入光路
１８  入光路
２１  第１光センサ
２２  第２光センサ
３０  制御回路
３１  ＣＰＵ
５０  ＡＣ検出回路
６０  ＤＣ検出回路
７１  開口
７２  開口
７３  入光路
７４  入光路
７７  第１光センサ
７８  第２光センサ
【図１】
2011164881.tif 000003
【図２】
2011164881.tif 000004
【図３】
2011164881.tif 000005
【図４】
2011164881.tif 000006
【図５】
2011164881.tif 000007
【図６】
2011164881.tif 000008
【図７】
2011164881.tif 000009
【図８】
2011164881.tif 000010
【図９】
2011164881.tif 000011
【図１０】
2011164881.tif 000012
【図１１】
2011164881.tif 000013
【図１２】
2011164881.tif 000014
【図１３】
2011164881.tif 000015
【図１４】
2011164881.tif 000016
【図１５】
2011164881.tif 000017
【図１６】
2011164881.tif 000018
【図１７】
2011164881.tif 000019